(57)【要約】      （修正有）【課題】使い勝手をよくし、顔などの皮膚に振動を与えながら光を効率よく照射できる美容器具を提供する。【解決手段】ハウジング１０に赤色発光ダイオード１１を保持し、内部に電池ホルダ１２と振動モータ１３とスイッチ１４とを設けた本体１と、そのハウジング１０から赤色発光ダイオード１１の発光光軸に沿って延びる中空の導光部２１とその先端から扁平に膨出した中空のヘッド部２２とが半透明部材で形成された導光ユニット２とを備えている。そして、スイッチ１４のオンにより、電池ホルダ１２に保持された電池３から振動モータ１３と赤色発光ダイオード１１に給電し、振動モータ１３が本体１及び導光ユニット２を音波振動させ、赤色発光ダイオード１１が発光して赤色光が導光部２１の中空部２１ａを通してヘッド部２２内を照射し、ヘッド部２２から外部へ射出される。【選択図】図３
0003216540.tif 000002
【実用新案登録請求の範囲】
【請求項１】
ハウジングに赤色発光ダイオードを保持し、内部に電源部と音波振動を発生する振動モータとスイッチとを設けた本体と、前記ハウジングから前記赤色発光ダイオードの発光光軸に沿って延びる中空の導光部とその先端から扁平に膨出した中空のヘッド部とが半透明部材で形成された導光ユニットとを備え、
前記スイッチは、前記電源部から前記振動モータ及び前記赤色発光ダイオードへの給電を制御し、
前記振動モータは、前記電源部からの給電により作動して前記本体及び前記導光ユニットを音波振動させ、
前記赤色発光ダイオードは、前記電源部からの給電により赤色光を発光し、該赤色光が前記導光部の中空部を通して前記ヘッド部内を照射し、該ヘッド部から外部へ射出されることを特徴とする美容器具。
【請求項２】
前記導光ユニットの前記導光部は、前記ハウジングから前記ヘッド部へ近づくに従って肉厚が薄くなり、前記ヘッド部はその先端部の肉厚が最も薄いことを特徴とする請求項１に記載の美容器具。
【請求項３】
前記導光ユニットが、前記本体に対して着脱可能である請求項１又は２に記載の美容器具。
【請求項４】
前記導光ユニットのヘッド部は、前記赤色発光ダイオードの発光光軸に直交する方向に拡がった部分の幅が１０ｍｍ〜２５ｍｍであり、厚さが前記導光部の先端部と同等の厚さから該ヘッド部の先端部に向かって減少していることを特徴とする請求項１から３のいずれか一項に記載の美容器具。
【請求項５】
前記導光ユニットとして、前記ヘッド部の大きさ又は形状あるいはその両方が異なるものを複数備え、そのうちの少なくとも一つの導光ユニットの前記ヘッド部は、前記赤色発光ダイオードの発光光軸に直交する方向に拡がった部分の幅が１０ｍｍ〜２５ｍｍであり、厚さが前記導光部の先端部と同等の厚さから該ヘッド部の先端部に向かって減少していることを特徴とする請求項３に記載の美容器具。
【考案の詳細な説明】
【技術分野】
【０００１】
この考案は、皮膚に振動を与えると共に光を照射する美容器具に関する。
【背景技術】
【０００２】
美容業界には、いわゆる化粧品とは別に美容器具や美容家電と称される製品が種々登場している。
例えば、特許文献１には、ハウジングの把持部の先端部にヘッドを設け、そのヘッドに皮膚吸引部と光照射部を、あるいはさらに超音波振動部も設けた美容器具が提案されている。
その美容器具は、使用者が美容処置を行う部分の皮膚にヘッドを押し当てて、皮膚吸引部によって皮膚を吸引しながら光照射部によって光を照射し、あるいはさらに超音波振動部による超音波振動を与えることができる。
【先行技術文献】
【特許文献】
【０００３】
【特許文献１】特開２００９−１８９７３０号公報
【考案の概要】
【考案が解決しようとする課題】
【０００４】
しかしながら、このような従来の美容器具は、使い勝手が悪く、顔などの皮膚に振動を与えながら光を効率よく照射することができないという問題があった。
この考案は、このような問題を解決するためになされたものであり、使い勝手がよく、顔などの皮膚に振動を与えながら光を効率よく照射することができる美容器具を提供することを目的とする。
【課題を解決するための手段】
【０００５】
この考案による美容器具は、上記の目的を達成するため、ハウジングに赤色発光ダイオードを保持し、内部に電源部と音波振動を発生する振動モータとスイッチとを設けた本体と、上記ハウジングから上記赤色発光ダイオードの発光光軸に沿って延びる中空の導光部とその先端から扁平に膨出した中空のヘッド部とが半透明部材で形成された導光ユニットとを備え、上記スイッチは、上記電源部から上記振動モータ及び上記赤色発光ダイオードへの給電を制御し、上記振動モータは、上記電源部からの給電により作動して上記本体及び上記導光ユニットを音波振動させ、上記赤色発光ダイオードは、上記電源部からの給電により赤色光を発光し、該赤色光が上記導光部の中空部を通して上記ヘッド部内を照射し、該ヘッド部から外部へ射出されることを特徴とすることを特徴とする。
【０００６】
上記導光ユニットの上記導光部は、上記ハウジングから上記ヘッド部へ近づくに従って肉厚が薄くなり、上記ヘッド部はその先端部の肉厚が最も薄いのが望ましい。
また、上記導光ユニットが、上記本体に対して着脱可能であるとよい。
上記導光ユニットのヘッド部は、上記赤色発光ダイオードの発光光軸に直交する方向に拡がった部分の幅が１０ｍｍ〜２５ｍｍであり、厚さが上記導光部の先端部と同等の厚さから該ヘッド部の先端部に向かって減少しているのが望ましい。
【０００７】
あるいは、上記本体に対して着脱可能な導光ユニットとして、上記ヘッド部の大きさ又は形状あるいはその両方が異なるものを複数備え、そのうちの少なくとも一つの導光ユニットの前記ヘッド部は、上記赤色発光ダイオードの発光光軸に直交する方向に拡がった部分の幅が１０ｍｍ〜２５ｍｍであり、厚さが上記導光部の先端部と同等の厚さから該ヘッド部の先端部に向かって減少しているとよい。
【考案の効果】
【０００８】
この考案による美容器具は、使い勝手がよく、顔などの皮膚に振動を与えながら光を効率よく照射することができる。
【図面の簡単な説明】
【０００９】
【図１】この考案による美容器具の一実施形態を示す平面図である。
【図２】同じくその側面図である。
【図３】図１のＡ−Ａ線に沿う断面図である。
【図４】図２のＢ−Ｂ線に沿う導光ユニットのみの断面図である。
【図５】ヘッド部の大きさ及び形状が異なる導光ユニットの一例を示す平面図である。
【図６】同じくその側面図である。
【考案を実施するための形態】
【００１０】
以下、この考案を実施するための形態を図面に基づいて説明する。
図１〜図４を参照しての考案による美容器具の一実施形態を説明する。図１はその平面図、図２はその側面図である。図３は図１のＡ−Ａ線に沿う断面図、図４は図２のＢ−Ｂ線に沿う導光ユニットのみの断面図である。
【００１１】
この美容器具は、本体１と導光ユニット２とを備える。
本体１は、ハウジング１０の先端部に赤色発光ダイオード１１を保持し、内部に図３に示すように、少なくとも電池ホルダ１２と音波振動を発生する振動モータ１３とスイッチ１４とを設けている。この実施形態では、電池の出力電圧を赤色発光ダイオード１１を発光させるのに適した電圧に昇圧するＬＥＤ用電源回路１５も設けている。なお、振動モータ１３をスイッチ１４より先端部側に設け、ＬＥＤ用電源回路１５をスイッチ１４より後方に設けてもよい。
【００１２】
ハウジング１０は、片手で容易に把持し得る細長い中空の筒状をなし、樹脂によって形成されている。そのハウジング１０は、メイン部１０ａと、その後端部に着脱可能に嵌合するキャップ部１０ｂとからなる。その嵌合部にはＯリング１６を嵌めてシール性を持たせている。また、メイン部１０ａにキャップ部１０ｂを嵌合させた状態で、軸線の回りに所定角度回転させると抜け止めされる構造になっている。
【００１３】
そのハウジング１０のメイン部１０ａの先端部１０ｃの中心部に、軸線方向に円筒状に突出したＬＥＤ保持部１０ｄを設けており、そのＬＥＤ保持部１０ｄの先端部に赤色発光ダイオード１１を保持している。先端部１０ｃの外周には、補強と装飾性を兼ねて金属環１７を嵌めている。
【００１４】
ハウジング１０のメイン部１０ａの後部に、キャップ部１０ｂ内へ突出するように、樹脂製の電池ホルダ１２を固着して設けており、その後端部に陽極片１２a、前端部にコイルスプリングによる陰極１２ｂを設けている。その陰極１２ｂを振動モータ１３とＬＥＤ用電源回路１５の一方の電源端子に接続し、陽極片１２ａを、スイッチ１４を介して振動モータ１３とＬＥＤ用電源回路１５の他方の電源端子に接続している。１９はそれらの配線である。電池ホルダ１２及びそこに保持される電池３が電源部を構成する。
メイン部１０ａｂにおけるプッシュ式のスイッチ１４の操作ロッド１４ａに対応する部分には弾性膜１８を張ってあり、外部からその弾性膜１８を介してスイッチ１４をオン・オフ操作できるようになっている。
【００１５】
導光ユニット２は、本体１のハウジング１０の先端部１０ｃから赤色発光ダイオード１１の発光光軸Ｃ（図３参照）に沿って延びる中空の導光部２１と、その先端から扁平に膨出した中空のヘッド部２２とが、乳白色等の半透明部材（この実施形態では半透明樹脂を用いているがこれには限られない）で一体に形成されている。
導光部２１及びヘッド部２２の中空部の内面を粗面にしておくと、入射した赤色光が乱反射して均一に拡散する。
【００１６】
この実施例では、導光ユニット２が本体１のハウジング１０のＬＥＤ保持部１０ｄに着脱可能に嵌合し、軸線の回りに所定角度回転させると抜け止めされる構造になっている。
その抜け止め構造は、導光ユニット２の嵌合部２３とハウジング１０のＬＥＤ保持部１０ｄに形成されている。しかし、導光ユニット２を本体１に固着して一体的に設けてもよい。
【００１７】
そして、この美容器具は、スイッチ１４のオンにより、電池ホルダ１２に保持された電池３から、振動モータ１３に給電すると共にＬＥＤ用電源回路１５を通して赤色発光ダイオード１１に給電する。それによって、振動モータ１３が作動して本体１及び導光ユニット２を音波振動（例えば振動数約１１０００回／分）させる。また、赤色発光ダイオード１１が波長が６６０ｎｍ程度の赤色光を発光して、その赤色光が導光ユニット２の導光部２１の中空部２１ｂを通してヘッド部２２内を照射し、ヘッド部２２から図３に矢印で示すように外部へ射出される。
【００１８】
スイッチ１４は、この実施形態では弾性膜１８を介して操作ロッド１４ａが押される度にオンとオフが切換わるものを用いている。しかし、これに限らず、遠隔操作式のもの含め、任意の操作方式のスイッチを利用可能である。
また、この実施形態では電池３として単４型アルカリ電池１個を使用し、電池３を交換する場合は、ハウジング１０のキャップ部１０ｂをメイン部１０ａから引抜いて外せば、電池３が露出するので容易に交換することができるようにしている。しかし、これに限るものではなく、電池３は、電池ホルダ１２に固定された充電式の電池であってもよい。
【００１９】
この美容器具の本体１を片手で把持して、導光ユニット２のヘッド部２２を顔などの任意の部分の皮膚に当ててスイッチをオンにすれば、導光ユニット２が音波振動してその振動がヘッド部２２に伝達されると共に、赤色光がヘッド部２２から十分に射出して、皮膚を効率よく照射することができる。すなわち、顔などの皮膚に振動を与えながら光を効率よく照射することができる。したがって、使い勝手が非常によい。
また、導光ユニット２のヘッド部２２を口腔内に入れて、頬等の内側から音波振動と赤色光の照射を行うこともできる。
【００２０】
導光ユニット２の導光部２１を、本体１の先端部１０ｃからヘッド部２２へ近づくに従って肉厚が薄くなるように構成し、ヘッド部２２を、その先端部２２ａの肉厚を最も薄く構成することによって、赤色光をより効率よくヘッド部２２の先端部から射出させることができる。
考案者の実験によれば、導光部２１のうちヘッド部２２の近傍の肉厚を本体１の先端部１０ｃ付近よりも薄くすることにより、肉厚が均一である場合と比べ、赤色発光ダイオード１１が発する赤色光を効率よくヘッド部２２内へ導光することができた。また、ヘッド部２２を、その先端部２２ａの肉厚を最も薄く構成することによって、先端部２２ａから外部への赤色光の出射を、先端部２２ａを通した出射に集中させることができた。一方で、この形状であれば、導光部２１の外面は滑らかに形成でき、美容器具の美観を損なうことがないし、先端部２１を皮膚に接触させても皮膚を傷つけることがない。
【００２１】
また、導光ユニット２のヘッド部２２は、赤色発光ダイオード１１の発光光軸Ｃに直交する方向に拡がった部分の幅Ｗ（図１参照）が１０ｍｍ〜２５ｍｍであり、厚さＤ（図２参照）が導光部２１の先端部と同等の厚さからヘッド部２２の先端部２２ａに向かって減少しているとよい。そのような導光ユニット２は、ヘッド２２部を口腔内に入れて使用するのに適している。
考案者の実験によれば、２５ｍｍよりも大きいサイズであると、口腔内に入れると違和感が大きくて使いづらく、１０ｍｍよりも小さいサイズであると、一度に狭い範囲にしか赤色光を照射できず、効率が悪かった。また、厚さＤがヘッド部２２の先端部２２ａに向かって減少していると、歯茎の外側等、狭い場所にも挿入し易い。
【００２２】
なお、導光ユニット２を本体１に対して着脱可能にすれば、導光ユニット２が傷んだ場合に、導光ユニット２だけを交換して使用することができる。
さらに、導光ユニット２をアタッチメントとして、ヘッド部２２の大きさ又は形状あるいはその両方が異なるものを複数備えておけば、用途等に応じてヘッド部２２の形状や大きさが異なる導光ユニット２を本体１に装着して使用することができる。
【００２３】
その場合も、少なくとも一つの導光ユニット２のヘッド部２２は、赤色発光ダイオード１１の発光光軸Ｃに直交する方向に拡がった部分の幅Ｗが１０ｍｍ〜２５ｍｍであり、厚さＤが導光部２１の先端部と同等の厚さからヘッド部２２の先端部２２ａに向かって減少しているものであるのが望ましい。
【００２４】
図５は、ヘッド部の大きさ及び形状が異なる導光ユニットの一例を示す平面図、図６はその側面図である。これらの図において、図１〜図４に示した導光ユニット２と対応する部分には、便宜上同じ符号を付している。
【００２５】
この図５及び図６に示した導光ユニット２は、赤色発光ダイオード１１の発光光軸Ｃ（図３参照）に直交する方向に拡がった部分の幅Ｗが、図１〜図４に示した導光ユニット２より広い。また、厚さＤが導光部２１の先端部と同等で略均一な厚さである。さらに、ヘッド部２２が導光部２１の長手方向（赤色発光ダイオード１１の発光光軸Ｃに沿う方向）に対して、図６に示すように側面から見て傾斜している。その他の構成は図１〜図４に示した導光ユニット２と同様である。
【００２６】
この導光ユニット２は、ヘッド部２２の先端部２２ａを顔等の皮膚に表側から接触させて使用するのに適している。ヘッド部２２が大きいので、皮膚への音波振動の付与と赤色光の照射を効率よく行うことができる。
その他、使用する部位などに応じて、ヘッド部２２の大きさや形状が異なる種々の導光ユニット２を準備することが可能である、
【００２７】
以上、この考案の実施形態について説明してきたが、その実施形態の各部の具体的な構造や機能等は、そこに記載したものに限るものではない。
また、この考案は上述した実施形態に限定されるものではなく、実用新案登録請求の範囲の各請求項に記載された技術的特徴又はこれと均等な技術的特徴を有する以外は、何ら限定されるものではないことは言うまでもない。
【符号の説明】
【００２８】
１：本体    ２：導光ユニット    ３：電池
１０：ハウジング    １０ａ：メイン部    １０ｂ：キャップ部    １０ｃ：先端部  
１０ｄ：ＬＥＤ保持部    １１：赤色発光ダイオード    １２：電池ホルダ    
１２ａ：陽極片    １２ｂ：陰極    １３：振動モータ    １４：スイッチ    
１４ａ：操作ロッド    １５：ＬＥＤ用電源回路    １６：Ｏリング    １７：金属環
１８：弾性膜    １９：配線    ２１：導光部    ２１ａ：中空部    
２２：ヘッド部    ２３：嵌合部
【図１】
0003216540.tif 000003
【図２】
0003216540.tif 000004
【図３】
0003216540.tif 000005
【図４】
0003216540.tif 000006
【図５】
0003216540.tif 000007
【図６】
0003216540.tif 000008